(57)【特許請求の範囲】
【請求項１】
建具枠の上枠レールおよび下枠レールに上げ下げけんどん動作で装着される建具の上端部に設けられ、装着した前記建具の前記上下両枠レールからの離脱を阻止する建具の外れ止め装置において、
前記けんどんの上げ動作で相対的に下動すると共に、前記けんどんの下げ動作で相対的に上動する外れ止め手段と、
前記外れ止め手段の前記下動に伴って回動始端位置から一方向に回動すると共に、回動終端位置で前記上動した前記外れ止め手段に係合しこれを位置規制する逆止めストッパと、
前記一方向への回動の途中から前記逆止めストッパを前記回動終端位置に向かって付勢するストッパ付勢手段と、を備えたことを特徴とする建具の外れ止め装置。
【請求項２】
前記外れ止め手段は、支軸を中心に上下方向に回動自在に構成された外れ止め部材と、前記外れ止め部材を上動方向に付勢する戻しばねと、を有していることを特徴とする請求項１に記載の建具の外れ止め装置。
【請求項３】
前記ストッパ付勢手段は、その付勢方向が、前記逆止めストッパの回動支軸に対し死点越えするように配設した双方向ばね、で構成されていることを特徴とする請求項１または２に記載の建具の外れ止め装置。
【請求項４】
前記外れ止め手段は、前記回動始端位置から前記回動終端位置に回動する前記逆止めストッパの摺動を案内するガイド部と、前記回動終端位置に回動した前記逆止めストッパに係合する係合部と、を有し、
前記逆止めストッパは、前記外れ止め手段の下動に伴い前記ガイド部または前記係合部に接触する被係合部を有し、
前記被係合部は、回動始端位置では前記ガイド部と間隔をおいて位置し、前記回動終端位置では前記係合部と近接することを特徴とする請求項１ないし３のいずれかに記載の建具の外れ止め装置。
【請求項５】
前記逆止めストッパは、当該逆止めストッパを、前記ストッパ付勢手段に抗して前記回動終端位置から前記回動始端位置に逆方向に回動させるための操作部を有していることを特徴とする請求項１ないし４のいずれかに記載の建具の外れ止め装置。
【請求項６】
前記操作部は、前記回動始端位置に回動した前記逆止めストッパを、前記回動終端位置に回動操作可能に構成されていることを特徴とする請求項５に記載の建具の外れ止め装置。
【請求項７】
請求項１ないし６のいずれかに記載の建具の外れ止め装置を備えたことを特徴とする建具。
【発明の詳細な説明】
【技術分野】
【０００１】
本発明は、網戸等の建具が建具枠から外れるのを防止する建具の外れ止め装置およびこれを備えた建具に関するものである。
【背景技術】
【０００２】
従来、この種の外れ止め装置として、網戸に設けられ、網戸を建具枠の上枠レールおよび下枠レールにけんどん動作で建て付けることにより、このけんどん動作を利用して外れ止めを作動させるものが知られている（特許文献１参照）。
この外れ止め装置は、網戸の上框に固定したケースと、ケースの上端から出没するようにケースに上下回動自在に支持されたストッパ（外れ止め部材）と、ストッパを突出する方向に付勢する捻りコイルばねと、ストッパに係合し、ストッパの下方への回動を阻止するロック位置と下方への回動を許容するアンロック位置との間で、ケースにスライド自在に取り付けられたスライダ（逆止めストッパ）と、スライダをロック位置に向かって付勢するコイルばねと、で構成されている。
初期状態でストッパは、アンロック位置にあるスライダに係合しており、この状態から建具枠に網戸をけんどん動作で建て付けると、ストッパは下方に回動する。この回動によりストッパとスライダとの係合が解かれ、スライダはコイルばねによりロック位置に向かって前進する。さらに網戸の建て付けが終了する、ストッパは上方に回動（戻る）し、スライダはストッパの下側に潜り込むようにしてロック位置に達する。これにより、けんどん動作のみにより、外れ止めを作動させることができるようになっている。
【特許文献１】実用新案登録第２５３９１９２号公報
【発明の開示】
【発明が解決しようとする課題】
【０００３】
このような従来の外れ止め装置では、建て付けのけんどん動作のみで外れ止めを作動（ストッパをロック）させることができるが、スライダがケースにスライド自在に設けられているため、ケースのスライド溝とスライダとを所定の寸法公差となるように精度良く形成しないと、スライダがスライド溝内で円滑にスライドしなくなる問題があった。同様に、スライド溝に異物や塵埃等が付着しても、スライダが円滑に作動しなくなる。また、スライダとこれを付勢するコイルばねとを並べて配設する必要があり、装置全体がスライダのスライド方向に長くなり、装置が大型化する問題があった。
【０００４】
本発明は、外れ止めの作動を円滑且つ安定に行わせることができると共に、コンパクトに構成することができる建具の外れ止め装置およびこれを備えた建具を提供することを課題としている。
【課題を解決するための手段】
【０００５】
本発明の建具の外れ止め装置は、建具枠の上枠レールおよび下枠レールに上げ下げけんどん動作で装着される建具の上端部に設けられ、装着した建具の上下両枠レールからの離脱を阻止する建具の外れ止め装置において、けんどんの上げ動作で相対的に下動すると共に、けんどんの下げ動作で相対的に上動する外れ止め手段と、外れ止め手段の下動に伴って回動始端位置から一方向に回動すると共に、回動終端位置で上動した外れ止め手段に係合しこれを位置規制する逆止めストッパと、一方向への回動の途中から逆止めストッパを回動終端位置に向かって付勢するストッパ付勢手段と、を備えたことを特徴とする。
【０００６】
この構成によれば、初期状態で外れ止め手段は上動位置にあり、この状態から建具枠に建具を上げ下げけんどん動作で建て付けると、先ずけんどんの上げ動作で上枠レールに当接した外れ止め手段は相対的に下動する。また、この外れ止め手段の下動に伴って逆止めストッパが、回動始端位置から一方向に回動する。続いて、けんどんの下げ動作に移行すると、外れ止め部材はこれに倣って上動するが、逆止めストッパはストッパ付勢手段に付勢されて回動終端位置に達する。そして、外れ止め部材が上動位置に戻ると、逆止めストッパは外れ止め部材に係合しこれを位置規制する。すなわち、けんどんの建て付け動作により、外れ止めを作動させることができる。この場合、逆止めストッパが回動自在に構成されているため、構造的に作動不良になり難く、安定した作動を維持することができると共に、比較的小スペースに配置することができる。
【０００７】
この場合、外れ止め手段は、支軸を中心に上下方向に回動自在に構成された外れ止め部材と、外れ止め部材を上動方向に付勢する戻しばねと、を有していることが好ましい。
【０００８】
この構成によれば、外れ止め部材も回動自在に構成されているため、この点でも、安定した作動を維持することができると共にスペース効率を向上させることができる。また、外れ止め手段を、ばね性を有する外れ止め部材で構成する（一体型）ことも可能であるが、別途設けた戻しばねにより、外れ止め部材を上動方向に付勢するようにしているため、外れ止め部材をけんどんの下げ動作に倣って、確実に上動させることができる。
【０００９】
これらの場合、ストッパ付勢手段は、その付勢方向が、逆止めストッパの回動支軸に対し死点越えするように配設した双方向ばね、で構成されていることが好ましい。
【００１０】
この構成によれば、ストッパ付勢手段の付勢方向が、死点に対し回動始端位置側にあるときには、ストッパ付勢手段は逆止めストッパを回動始端位置に向かって付勢し、死点に対し回動終端位置側にあるときには、ストッパ付勢手段は逆止めストッパを回動終端位置に向かって付勢する。すなわち、ストッパ付勢手段は、回動範囲の略中間点（死点）を境に逆止めストッパを逆方向に付勢する。これにより、外れ止め手段が上動位置にある初期状態では、逆止めストッパを回動始端位置に移動させておくことができるため、運搬や保管時に逆止めストッパが回動終端位置に移動してしまうのを防止することができる。一方、けんどんの下げ動作で外れ止め手段が上動したときに、逆止めストッパを独自に回動終端位置に確実に移動させることができる。しかも、逆止めストッパ上記の動作を、単一のストッパ付勢手段により達成することができる。
【００１１】
これらの場合、外れ止め手段は、回動始端位置から回動終端位置に回動する逆止めストッパの摺動を案内するガイド部と、回動終端位置に回動した逆止めストッパに係合する係合部と、を有し、逆止めストッパは、外れ止め手段の下動に伴いガイド部または係合部に接触する被係合部を有し、被係合部は、回動始端位置ではガイド部と間隔をおいて位置し、回動終端位置では係合部と近接することが、好ましい。
【００１２】
この構成によれば、階段状になったガイド部と係合部との高さの差によって確実に外れ止め状態と外れ止め解除状態を切り替えることができると共に、外れ止め手段と逆止めストッパとの相互の摺接および係合を円滑に行わせることができる。
【００１３】
これらの場合、逆止めストッパは、逆止めストッパを、ストッパ付勢手段に抗して回動終端位置から回動始端位置に逆方向に回動させるための操作部を有していることが、好ましい。
【００１４】
この構成によれば、操作部により、逆止めストッパを回動終端位置から回動始端位置に回動させる（回動始端位置にリセット）ことで、外れ止め状態を簡単に解除することができる。なお、装置の構成部品がケース（フレーム）等に収容されている場合、ユーザによる上記の解除操作を容易にすべく、操作部は、逆止めストッパを回動終端位置に移動した状態で外部に露出していることが好ましい。
【００１５】
これらの場合、操作部は、回動始端位置に回動した前記逆止めストッパを、回動終端位置に回動操作可能に構成されていることが、好ましい。
【００１６】
この構成によれば、建具を建具枠に適切に装着した後、誤って逆止めストッパが回動終端位置から回動始端位置に解除操作してしまった場合、これを簡単に戻す（外れ止め状態にセット）ことができる。この場合も、操作部の少なくとも一部は、逆止めストッパを回動始端位置に移動した状態で外部に露出していることが好ましい。
【００１７】
本発明の建具は、上記した外れ止め装置を備えたことを特徴とする。
【００１８】
この構成によれば、けんどんの建て付け動作のみで、外れ止め装置を自動的に作動させることができる。また、外れ止め装置自体、作動の安定性とコンパクト性を併せ持つものであるため、建具に改良を必要とすることなく、簡単に取り付けることができる。なお、請求項に言う「建具」は、網戸をはじめ各種の引き戸（障子）等を含む概念である。
【発明の効果】
【００１９】
以上のように本発明の建具の外れ止め装置および建具によれば、建て付け動作により外れ止めを作動させることができると共に、外れ止めの作動を円滑且つ安定に行わせることができる。また、装置全体をコンパクトに構成することができる。
【発明を実施するための最良の形態】
【００２０】
以下、本発明の実施形態を図面に基づいて説明する。図１は、本発明の第１実施形態に係る外れ止め装置が設けられた網戸（建具）３付きの引違い窓の正面図であり、図２は、その拡大縦断面図である。両図に示すように、引違い窓は、窓枠（建具枠）１と、窓枠１に開閉自在に装着した外障子２ａおよび内障子２ｂと、外障子２ａの屋外側に組み込んだ網戸３と、を備えている。窓枠１は上枠１１、下枠１２および左右の縦枠１３，１３により枠組みされており、上枠１１には最外端部に位置して垂設した上網戸レール（上枠レール）１４が、下枠１２には最外端部に位置して立設した下網戸レール（下枠レール）１５が設けられている。網戸３は、上框３１、下框３２および左右の縦框３３，３３により框組みした框体と、縦框３３，３３間に水平に渡した中桟３４と、中桟３４により分割された上下の框内空間に張設した一対の網体３５，３５と、を有している。また、網戸３は、屋内側の上端部に見付け方向に離間するように配設した一対のスライドブロック３６と、屋内側の下端部に見付け方向に離間するように配設した一対の戸車ブロック（図示省略）と、を有している（図２参照）。各スライドブロック３６には、上記の上網戸レール１４にスライド自在に係合すると共に網戸３のけんどんによる装着を許容する二股係合片３７が設けられ、また各戸車ブロック３８には、上記の下網戸レール１５上を転動する戸車３９が設けられている。各スライドブロック３６は、上框３１の上框中空部３１０上端から屋内側に延びる上水平片３１１の内側に位置して、上框中空部３１０の見付け面に固定され、同様に各戸車ブロック３８は、下框の下框中空部３１２から屋内側に延びる下水平片３１３の内側に位置して、下框中空部３１２の見付け面に固定されている。これにより、網戸３は、その網体３５が上下両網戸レール１４，１５から幾分屋外側に張り出すように装着されている。さらに、網戸３は、各スライドブロック３６に組み込むようにして一対の外れ止め装置４，４を有している。各外れ止め装置４は、上記の二股係合片３７より幾分上げ底で上網戸レール１４にスライド自在に係合しており、けんどん動作による網戸３の上下両網戸レール１４，１５からの離脱を阻止している。なお、外れ止め装置４は２つに限ることはなく何個でもよい。また、外れ止め装置４および戸車３９を直接框体に設けるようにしてもよい。
【００２１】
次に、図３ないし図５によりこの各外れ止め装置４について詳細に説明する。外れ止め装置４は、網戸３の上框３１に固定されるフレーム５と、フレーム５とともに上網戸レール１４を挟み込み上下動する外れ止め手段６と、外れ止め手段６を外れ止め状態にロックする逆止めストッパ７と、逆止めストッパ７を付勢するストッパ付勢手段８とを備えている。また、外れ止め手段６は、上下動する外れ止め部材６１と、外れ止め部材６１を上方向に付勢する戻しばね６１１とで構成されている。
【００２２】
フレーム５は、正面板５１と、背面板５２と、底板５３とからなり、上を開放するように断面略コ字状に折り曲げて形成されている。底板５３の中央には長方形の下部開口部５４が形成されている。背面板５２の左右両端部には、それぞれ２つの長孔５５が形成されており、この長孔５５により、外れ止め装置４は、スライドブロック３６を介して上框３１に螺子止めされている。また、正面板５１は背面板５２より上方に突出しており、背面板５２から突出した外れ止め部材６１とともに上網戸レール１４を挟み込むように係合する。さらに、外れ止め部材の近傍に位置して正面板５１には、切り起こすようにストッパ突起５６が設けられており、戻しばね６１１により付勢された外れ止め部材６１の上動位置を位置規制している。
【００２３】
前記外れ止め部材６１は、先端側のヘッド部６２と基端側のアーム部６３とで断面略鈎型に一体に形成されており、アーム部６３の基部において支軸６４を介してフレーム５に回動自在に軸支されている。ヘッド部６２の上面には変形山形に湾曲したレール当接面６８と、レール当接面６８を挟んでフレーム５の正面板５１に対峙するガイド壁部６９とが設けられており、レール当接面６８が上網戸レール１４の下端面に当接して網戸３の離脱を阻止する一方、ガイド壁部６９がフレーム５の正面板５１との間に上網戸レール１４を挟み込んで網戸の開閉をガイドする。また、ヘッド部６２とアーム部６３との連係部分の下面には、外れ止め解除状態から下動することで逆止めストッパ７を下動させる押圧部６５と、逆止めストッパ７の摺動を案内するガイド部６６と、外れ止め状態で逆止めストッパ７に保持されて下方向への移動を規制される係合部６７とが形成されている。外れ止めを作動させるけんどんの初期状態では、逆止めストッパ７は押圧部６５に当接しており、この状態から外れ止め部材６１が回動を開始すると、逆止めストッパ７との当接点はガイド部６６に移動し、ガイド部６６に当接した時点で外れ止め部材６１の回動が止まり、外れ止め部材６１が復帰すると、当接点はガイド部６５を乗り越えて係合部６７に係合する。
【００２４】
支軸６４にはこれに巻回するようにして戻しばね６１１が設けられており、戻しばね６１１はレール当接面６８が上方向に移動するように外れ止め部材６１に回転を与えるよう付勢している。戻しばね６１１は捻りコイルばねで構成され、図示では省略したが、支軸６４に巻回された状態で一端をフレーム５に、他端をアーム部６３に係止されている。よって、外れ止め解除状態（初期状態）の外れ止め部材６１は戻しばね６１１により上動位置に移動してフレーム５のストッパ突起５６に当接しており、これにストッパ付勢手段８より付勢された逆止めストッパ７が下側から当接している。外れ止め部材６１は、けんどんの上げ動作で相対的に下動すると共に、けんどんの下げ動作で相対的に上動する。本実施形態での戻しばね６１１は、支軸６４に巻回した捻りコイルばねであるが外れ止め部材６１を上方向に付勢するものであればなんでもよく、例えば、コイルばね、板ばねでもよく、また、アーム部６３を薄肉としてばね性を持たせることにより外れ止め部材６１と一体型として外れ止め手段６を構成してもよい。
【００２５】
逆止めストッパ７は、フレーム５の背面板５２に設けた片持ちの回動支軸７１により回動自在に支持されており、扇状に形成された支持板部７２と、支持板部７２からフレーム５の正面板５１側に突出するように設けた略「Ｔ」状の操作部７３とを備えている。支持板部７２は、扇状の先端位置にストッパ付勢手段８を係止する付勢手段係止部７４を有している。また、操作部７３は、支持板部７２が見付け方向に突出する操作部本体７５と、支持板部７２から見付け方向に突出する被係合部７７と、で略「Ｔ」字状に形成されている。被係合部７７は、外れ止め部材６１に下側から臨み、下動する外れ止め部材６１に対し、その押圧部６５、ガイド部６６および係合部６７に順次係合する。このとき、外れ止め解除状態にある外れ止め部材６１に下側から当接している逆止めストッパ７の位置が回動始端位置であり、また、外れ止め状態で被係合部７７が係合部６７近傍にある状態の逆止めストッパ７の位置が回動終端位置であり、逆止めストッパ７は回動始端位置と回動終端位置との間を回動自在に構成されている。この実施形態の外れ止め部材６１の支持板部７２との正面視オーバーラップ部分が切り欠かれており（図示省略）、支持板部７２が外れ止め部材６１と屋内外方向干渉せず、操作部７３の被係合部７７が外れ止め部材６１と適宜係合する。これにより、外れ止め部材６１と逆止めストッパ７とを可能な限り近づけて配設することができ、外れ止め装置４の小型化が図られている。なお、操作部７３の基端側が被係合部７７を兼ねているが操作部本体７５と被係合部７７とは別々に設けてもよい。また、逆止めストッパ７が回動始端位置に移動した状態で、操作部本体７５はフレーム５内に隠蔽され、回動終端位置に移動した状態においてフレーム５の下部開口部５４から下方に突出する。これにより、逆止めストッパの操作（外れ止め解除操作）が容易になり、また、回動始端位置においてフレーム５から突出してないので外れ止め状態かどうかを目視しやすい。また、操作部本体７５の外面は手で滑らず操作しやすいようにギザギザ形状の凹凸を有しているがこれに限るものではなく、例えばレバー的なものであってもよい。
【００２６】
逆止めストッパ７とは若干距離をおいた位置にストッパ付勢手段８が設けられている。ストッパ付勢手段８は、所望のばね定数を有する捻りコイルばねを改良したものであり、回動始端位置と回動終端位置との略中間点から回動始端位置側に移動した逆止めストッパ７を回動始端位置に向かって付勢する一方、回動終端位置側に移動した逆止めストッパ７を回動終端位置に向かって付勢する、双方向ばねの機能を有している。ストッパ付勢手段８の一端である折曲げ端部８１は、逆止めストッパ７の付勢手段係止部７４に係止され、他端である支持端部８２は、正面板５１と背面板５２との間に渡した支持ピン８３に巻回支持されている。
【００２７】
上記の略中間点は、ストッパ付勢手段８の折曲げ端部８１における付勢方向の延長線が逆止めストッパ７の回動支軸７１の軸線に交わる状態の、逆止めストッパ７の位置に相当し、ストッパ付勢手段８の付勢方向がいわゆる死点越えする状態となる。したがって、けんどんの上げ動作により、戻しばね６１１に抗して相対的に下動する外れ止め部材６１に対し、逆止めストッパ７はストッパ付勢手段８によりこれに当接した状態で回動始端位置から回動を開始する。外れ止め部材６１の下動が進んで、やがてストッパ付勢手段８が死点越えをすると、ストッパ付勢手段８は逆止めストッパ７を回動終端位置側に付勢し、逆止めストッパ７は外れ止め部材６１から離れて回動終端位置に達する（実際には、いったんガイド部６６に当接し外れ止め部材６１の上動で回動終端位置に達する）。一方、外れ止め部材６１は更に下動するが、やがてけんどんの上げ動作が下げ動作に移行することで、今度は上動に転じ上動位置に戻る。この状態では、外れ止め部材６１の係合部６７が逆止めストッパ７の被係合部７７と対峙しており、外れ止め部材６１の下動が規制される（外れ止め状態）。また、この外れ止め状態から、ストッパ付勢手段８に抗して逆止めストッパ７を回動始端位置に向かって回動操作すると、ストッパ付勢手段８が死点越えをした瞬間に、逆止めストッパ７は引き込まれるようにして回動始端位置に復帰する（外れ止め解除状態）。なお、本実施形態ではストッパ付勢手段８を改良型の捻りコイルばねで構成しているが、ばねは略く字状でなくてもよく、またばねに限らず、伸縮自在で伸びる方向に付勢されていればなんでもよい。
【００２８】
以上のように外れ止め装置４が構成されており、以下に網戸３の建て付けの手順と併せて外れ止め装置４の動作を簡単に説明する。網戸３を取付ける場合、外れ止め装置４は図３（ａ）状態にある。すなわち、初期状態で外れ止め部材６１は上動位置にあり、逆止めストッパ７は回動始端位置にある。この状態では、外れ止め手段６は逆止めストッパ７に規制されてないため自由に下動できる。そこから窓枠１に網戸３を上げ下げけんどん動作で建て付けるが、けんどんの上げ動作で上枠レール１４に当接した外れ止め手段６は相対的に下動する。また、この外れ止め手段６の下動に伴って逆止めストッパ７が、回動始端位置から回動終端位置に向かって一方向に回動する。それに伴いストッパ付勢手段８もフレーム５に支持された支持端部８２を中心に逆止めストッパ７とは逆回転を始める。
【００２９】
回転を始めた段階ではストッパ付勢手段８は回動始端位置方向に付勢されている。逆止めストッパ７の回動支軸７１に対して死点越えしたストッパ付勢手段８は逆止めストッパ７を回動終端位置方向へ付勢することで逆止めストッパ７は回転し、外れ止め部材６１のガイド部６６に当接する。こうして外れ止め部材６１は、図３（ｂ）のようにガイド部６６が逆止めストッパ７に当接する位置まで下動できる。
【００３０】
続いて、けんどんの下げ動作に移行すると、外れ止め部材６１は戻しばね６１１により上動するが、ガイド部６６から外れた逆止めストッパ７はストッパ付勢手段８に付勢されて回動終端位置に達する。そして、外れ止め手段６が上動位置に戻ると、図３（ｃ）のように逆止めストッパ７の被係合部７７が外れ止め部材６１の係合部６７の下方に位置することで、外れ止め部材６１は逆止めストッパ７により下方向への移動を規制される。すなわち、けんどんの建て付け動作により、外れ止めを作動させることができる。
【００３１】
また、外れ止め装置４を解除する場合は、逆止めストッパ７に設けられた操作部７３を操作して逆止めストッパ７を回動始端位置方向に回転させ、死点越えした時点で逆止めストッパ７は回動始端位置方向へ付勢され自ら回転を始めて回動始端位置へ移動する。これにより外れ止め解除状態となるため、外れ止め部材６１は下動することができ、けんどん動作により簡単に網戸３を窓枠１から取り外すことができる。また、前記構造により、逆止めストッパ７は、回動始端位置にまで完全に操作部７３を操作しなくても回動始端位置まで自動復帰するので誤動作がなく簡単かつ確実に外れ止めを解除できる。
【００３２】
また、逆止めストッパ７が回動終端位置にあるとき操作部７３はフレーム５の下部開口部５４から突出しており、逆止めストッパ７が回動始端位置にあるとき操作部７３はフレーム５の中に納まっている。こうすることで逆止めストッパ７が回動終端位置にあるか回動始端位置にあるかが簡単に目視でき、かつ保管時や運搬時等において逆止めストッパが回動終端位置に移動してしまうのを確実に防止できる。
【００３３】
さらに、外れ止め装置４は網戸３の上框３１室内側に張り出して設けてあるため操作部７３が外れ止め装置４の下部開口部５４に出没する構造で操作しやすい。よって、室内側から容易に外れ止め装置４を解除することができる。しかしこれに限らず、網戸３の上框３１の上水平片３１１および下框３２の下水平片３１３をなくして、上框３１内に外れ止め装置４を収納させ、下框３２内に戸車３８を収納させてもよい。そのときには操作部７３を上框室内面に突出させるなどして室内側から操作しやすくするのが望ましい。
【００３４】
次に図６を参照して、本発明の外れ止め装置の第２実施形態について説明する。なお、第１実施形態と同様の部分については説明を省略する。第２実施形態の外れ止め装置４０は、第１実施形態のものと同様のフレーム５、戻しばね６１１、ストッパ付勢手段８０と、第１実施形態ものと形状や位置関係が相違する外れ止め部材６１０、逆止めストッパ７０とを備えている。
【００３５】
外れ止め部材６１０は、支軸６４０を中心に回動自在であり、支軸６４０から斜め上方に延びた一端上面にはレール当接面６８０が上網戸レール１４に当接することにより上下動するように配置されている。また、支軸６４０から斜め下方に延びた他端上面には押圧部６５０とガイド部６６０と係合部６７０とが形成されている。
【００３６】
逆止めストッパ７０は、回動支軸７１０を中心に回動自在に支持された断面略台形状の支持板部７２０と、支持板部７２０の一端に設けた操作部７３０とを備える。支持板部７２０は外れ止め部材６１０と室内外方向同一面にあるため適宜係合するが、一方、操作部７３０は外れ止め部材６１０と室内外方向に位置ずれしていてお互い干渉しない。支持板部７２０は、一端にはガイド部６６０および係合部６７０に当接する被係合部７７０を備え、他端には押圧部６５０に当接する被押圧部７５０と、付勢手段係止部７４０とを備える。
【００３７】
以上の構成で第２実施形態の外れ止め装置４０が構成されており、以下に網戸３の建て付けに沿いながら動作を説明する。網戸３を取付ける場合、外れ止め装置４０は図６（ａ）のようにまず、初期状態でレール当接面６８０が最大限上方に移動した上動位置にあり、これに対応して逆止めストッパ７０を回動始端位置に移動している。そこから窓枠１に網戸３を上げ下げけんどん動作で建て付けると、けんどんの上げ動作により外れ止め部材６１０が回動し、被押圧部７５０が押圧部６５０に押されることで逆止めストッパ７０も一方向に回動する。
【００３８】
これに伴い回動するストッパ付勢手段８０は、縮みながら逆止めストッパ７０を回動始端位置方向に付勢しているが、途中で逆止めストッパ７０の回動支軸７１０に対して死点越えすることで逆止めストッパ７０をこんどは回動終端位置方向へ付勢し、被係合部７７０がガイド部６６０に当接する（図６（ｂ）参照）。
【００３９】
続いて、けんどんの下げ動作に移行すると、外れ止め手段６０はこれに倣って回動するが、ガイド部６６０から外れた逆止めストッパ７０はストッパ付勢手段８０に付勢されて回動終端位置に達する（図６（ｃ）参照）。すなわち、第２実施形態の外れ止め装置４０によっても、けんどんの建て付け動作により、外れ止めを作動させることができる。
【００４０】
次に図７を参照して、本発明の外れ止め装置の第３の実施形態について説明する。この外れ止め装置４５の第１実施形態と異なるところは、逆止めストッパ７が回動始端位置にある状態で操作部７３５はフレーム５から突出している。すなわち、第３実施形態の操作部７３５は、第１実施形態の操作部７３より十分に長く形成されており、初期状態でフレーム５から操作可能に突出している。こうすることで、外れ止め手段６を下動させて自動で外れ止めをかける機能に加えて、操作部７３を操作して逆止めストッパ７を回動始端位置から回動終端位置へ移動させて手動で外れ止めをかけることができるので、誤作動で外れ止めを解除してしまったときなどにけんどん動作により外れ止めをかける必要がなく操作部７３により外れ止めをかけることができる。
【００４１】
なお、本発明の外れ止め装置は、横けんどん式で取り付けられる網戸にも適用可能である。かかる場合には、外れ止め装置を網戸の横框に装着するようにする。
【図面の簡単な説明】
【００４２】
【図１】本発明の外れ止め装置を用いた網戸と引き違いサッシの正面図
【図２】外れ止め装置を用いた網戸と引き違いサッシの縦断面図
【図３】（ａ）外れ止め装置の外れ止め解除状態図、（ｂ）外れ止め部材が許容位置にある状態図、（ｃ）外れ止め装置の外れ止めがかかった状態図
【図４】外れ止め装置の前面の分解斜視図
【図５】外れ止め装置の背面の分解斜視図
【図６】（ａ）第２実施形態の外れ止め装置の外れ止め解除状態図、（ｂ）第２実施形態のけんどんによる上げ動作の状態図、（ｃ）第２実施形態の外れ止め装置の外れ止めがかかった状態図
【図７】第３実施形態の外れ止め装置の外れ止め解除状態図
【符号の説明】
【００４３】
１…建具枠  ３…建具  ４、４０、４５…外れ止め装置  ６、６０…外れ止め手段  ７、７０…逆止めストッパ  ８…ストッパ付勢手段  １４…上枠レール  １５…下枠レール  ６１、６１０…外れ止め部材  ６４、６４０…支軸  ６６、６６０…ガイド部  ６７、６７０…係合部  ７１、７１０…回動支軸  ７３、７３０、７３５…操作部  ６１１…戻しばね
【図１】
0004578360.tif 000002
【図２】
0004578360.tif 000003
【図３】
0004578360.tif 000004
【図４】
0004578360.tif 000005
【図５】
0004578360.tif 000006
【図６】
0004578360.tif 000007
【図７】
0004578360.tif 000008